(57)【要約】【課題】排水の凝集沈殿処理において、少ない使用量で排水中の着色物質や懸濁物質の量を低減させることができる有機凝結剤を提供する。【解決手段】排水の凝集沈殿処理において用いられる有機凝結剤であって、下記一般式（１）で表されるアルキレンジアミン類とエピハロヒドリンとを反応させて得られ、ｐＨ７におけるカチオンコロイド当量値が１．０〜１５．０ｍｅｑ／ｇであり、かつ重量平均分子量Ｍｗが１，０００〜２，０００，０００である化合物の少なくとも一種類以上を含有する有機凝結剤である。2009125649.tif 000009（式中、Ｒ1，Ｒ2はそれぞれ独立して炭素数１〜５のアルキル基、炭素数１〜４のヒドロキシアルキル基を示し、Ｒ3，Ｒ4はそれぞれ独立して水素原子、炭素数１〜５のアルキル基、炭素数１〜４のヒドロキシアルキル基を示し、Ｒ5は炭素数２〜６のアルキレン基を示す。）【選択図】なし【特許請求の範囲】
【請求項１】
排水の凝集沈殿処理において用いられる有機凝結剤であって、
下記一般式（１）で表されるアルキレンジアミン類とエピハロヒドリンとを反応させて得られ、ｐＨ７におけるカチオンコロイド当量値が１．０〜１５．０ｍｅｑ／ｇであり、かつ重量平均分子量Ｍｗが１，０００〜２，０００，０００である化合物の少なくとも一種類以上を含有することを特徴とする有機凝結剤。
【化１】
2009125649.tif 000008
（式中、Ｒ1，Ｒ2はそれぞれ独立して炭素数１〜５のアルキル基、炭素数１〜４のヒドロキシアルキル基を示し、Ｒ3，Ｒ4はそれぞれ独立して水素原子、炭素数１〜５のアルキル基、炭素数１〜４のヒドロキシアルキル基を示し、Ｒ5は炭素数２〜６のアルキレン基を示す。）
【請求項２】
請求項１に記載の有機凝結剤であって、
前記Ｒ1，Ｒ2がそれぞれ独立して炭素数１〜５のアルキル基であり、前記Ｒ3，Ｒ4が水素原子であることを特徴とする有機凝結剤。
【請求項３】
請求項２に記載の有機凝結剤であって、
前記Ｒ1，Ｒ2がメチル基またはエチル基であり、前記Ｒ5がエチレン基またはプロピレン基であることを特徴とする有機凝結剤。
【請求項４】
排水の脱色処理を行う脱色方法であって、
排水に対して、請求項１〜３のいずれか１項に記載の有機凝結剤を０．１〜２，０００（ｍｇ／Ｌ）添加し、さらに必要に応じて無機凝結剤を１０〜５，０００（ｍｇ／Ｌ）添加し、ｐＨを３〜１２に調整した後、高分子凝集剤を添加して処理することを特徴とする脱色方法。
【発明の詳細な説明】
【技術分野】
【０００１】
本発明は、排水の凝集沈殿処理において用いられる有機凝結剤及びその有機凝結剤を用いる排水の脱色方法に関する。
【背景技術】
【０００２】
染色・捺染工場、染料製造工場等の染料を扱う工場等から排出される排水は染料等により着色していることが多い。また、飲料工場からはお茶やコーヒーの製造時にこれらの残滓成分により排水が着色する傾向にある。排水基準には色度項目はないが、着色排水を河川や湖沼、海等に放流しないように排水の色度に対して自社基準を設けている団体・企業もある。従来より排水中の着色成分や懸濁物質の処理法の一つとして、排水（被処理水）にポリ塩化アルミニウム（ＰＡＣ）等の無機凝結剤と高分子凝集剤を注入して凝集フロックを形成させ、この凝集フロックを沈降分離させる凝集沈殿法が一般的に用いられている。
【０００３】
このような凝集沈殿法において、着色成分等の除去に用いられる無機凝結剤の使用量を低減させるために、例えば特許文献１，２には、ポリアミンやポリジアリルジメチルアンモニウムクロライド等の有機凝結剤を無機凝結剤と併用することが記載されている。また、特許文献３には、排水にポリアミン等の有機凝結剤または無機凝集剤と有機凝結剤とを添加、混合した後、高分子凝集剤を添加、混合する浄水の処理方法が記載されている。
【０００４】
【特許文献１】特公昭５２−３４８５４号公報
【特許文献２】特公平７−４１２４７号公報
【特許文献３】特開２００２−３４６５７２号公報
【発明の開示】
【発明が解決しようとする課題】
【０００５】
色度を与える着色成分は極少量の濃度でも排水を着色させ易い。排水の水質によっては、人に不快を与えない色度まで着色成分や懸濁物質の量を低減させるためには、極めて多量の無機凝結剤が必要であり、特許文献１〜３のような有機凝結剤を無機凝結剤と併用しても、なお発生する汚泥の量が多く、経済的負担や環境負荷がかかるという問題を残している。
【０００６】
本発明は、排水の凝集沈殿処理において、少ない使用量で排水（被処理水）中の着色物質や懸濁物質の量を低減させることができる有機凝結剤及びその有機凝結剤を用いる排水の脱色方法である。
【課題を解決するための手段】
【０００７】
本発明は、排水の凝集沈殿処理において用いられる有機凝結剤であって、下記一般式（１）で表されるアルキレンジアミン類とエピハロヒドリンとを反応させて得られ、ｐＨ７におけるカチオンコロイド当量値が１．０〜１５．０ｍｅｑ／ｇであり、かつ重量平均分子量Ｍｗが１，０００〜２，０００，０００である化合物の少なくとも一種類以上を含有する有機凝結剤である。
【０００８】
【化１】
2009125649.tif 000002
（式中、Ｒ1，Ｒ2はそれぞれ独立して炭素数１〜５のアルキル基、炭素数１〜４のヒドロキシアルキル基を示し、Ｒ3，Ｒ4はそれぞれ独立して水素原子、炭素数１〜５のアルキル基、炭素数１〜４のヒドロキシアルキル基を示し、Ｒ5は炭素数２〜６のアルキレン基を示す。）
【０００９】
また、前記有機凝結剤において、前記Ｒ1，Ｒ2がそれぞれ独立して炭素数１〜５のアルキル基であり、前記Ｒ3，Ｒ4が水素原子であることが好ましい。
【００１０】
また、前記有機凝結剤において、前記Ｒ1，Ｒ2がメチル基またはエチル基であり、前記Ｒ5がエチレン基またはプロピレン基であることが好ましい。
【００１１】
また、本発明は、排水の脱色処理を行う脱色方法であって、排水に対して、前記有機凝結剤を０．１〜２，０００（ｍｇ／Ｌ）添加し、さらに必要に応じて無機凝結剤を１０〜５，０００（ｍｇ／Ｌ）添加し、ｐＨを３〜１２に調整した後、高分子凝集剤を添加して処理する脱色方法である。
【発明の効果】
【００１２】
本発明では、上記一般式（１）で表される化合物の少なくとも一種類以上を含有する有機凝結剤を用いることによって、排水の凝集沈殿処理において、少ない使用量で排水中の着色物質や懸濁物質の量を低減させることができる。
【発明を実施するための最良の形態】
【００１３】
本発明の実施の形態について以下説明する。本実施形態は本発明を実施する一例であって、本発明は本実施形態に限定されるものではない。
【００１４】
＜有機凝結剤＞
本発明者らは、鋭意検討の結果、下記一般式（１）で表されるアルキレンジアミン類とエピハロヒドリンとを反応させて得られ、ｐＨ７におけるカチオンコロイド当量値が１．０〜１５．０ｍｅｑ／ｇであり、かつ重量平均分子量Ｍｗが１，０００〜２，０００，０００である化合物の少なくとも一種類以上を含有する有機凝結剤を使用して、あるいはこの有機凝結剤を無機凝結剤と併用して凝集沈殿処理を行えば、従来の有機凝結剤よりも少ない使用量で排水中の着色物質や懸濁物質の量を低減させることができることを見出した。
【００１５】
【化２】
2009125649.tif 000003
（式中、Ｒ1，Ｒ2はそれぞれ独立して炭素数１〜５のアルキル基、炭素数１〜４のヒドロキシアルキル基を示し、Ｒ3，Ｒ4はそれぞれ独立して水素原子、炭素数１〜５のアルキル基、炭素数１〜４のヒドロキシアルキル基を示し、Ｒ5は炭素数２〜６のアルキレン基を示す。）
【００１６】
炭素数１〜５のアルキル基としては、直鎖、分岐の炭素数１〜５のアルキル基が挙げられ、例えば、メチル基、エチル基、ｎ−プロピル基、イソプロピル基、ｎ−ブチル基、ｔ−ブチル基、ｓｅｃ−ブチル基、ｎ−ペンチル基等が挙げられる。これらのうち、メチル基またはエチル基が好ましい。
【００１７】
炭素数１〜４のヒドロキシアルキル基としては、例えば、ヒドロキシメチル基、ヒドロキシエチル基、２−ヒドロキシプロピル基、３−ヒドロキシプロピル基、２−ヒドロキシブチル基、３−ヒドロキシブチル基、４−ヒドロキシブチル基等が挙げられる。
【００１８】
炭素数２〜６のアルキレン基としては、例えば、エチレン基、プロピレン基、ブチレン基、ペンチレン基、ヘキシレン基等が挙げられる。
【００１９】
上記アルキレンジアミン類とエピハロヒドリンとを反応させて得られる化合物の重量平均分子量Ｍｗは、１，０００〜２，０００，０００の範囲であるが、２，０００〜５００，０００の範囲が好ましく、５，０００〜３００，０００の範囲がより好ましい。重量平均分子量Ｍｗが１，０００未満であると効果が劣り、２，０００，０００を超えると粘性が極めて高くなり、取り扱いが困難になる。
【００２０】
上記アルキレンジアミン類とエピハロヒドリンとを反応させて得られる化合物のｐＨ７におけるカチオンコロイド当量値は、１．０〜１５．０ｍｅｑ／ｇの範囲であるが、４．０〜１２．０ｍｅｑ／ｇの範囲が好ましく、６．０〜１０．０ｍｅｑ／ｇの範囲がより好ましい。カチオンコロイド当量値は化合物におけるカチオンの多さを表す指標であり、カチオンコロイド当量値が１．０ｍｅｑ／ｇ未満であると凝集沈殿処理において色度低減効果等が低下し、１５．０ｍｅｑ／ｇを超えるとフロック形成が悪化する。本実施形態に係る有機凝結剤は、従来有機凝結剤として用いられていたポリアミンやポリジアリルジメチルアンモニウムクロライド等に比べて、高いカチオンコロイド当量値を有するため、高い凝結性を有するものと考えられる。
【００２１】
本実施形態に係る上記アルキレンジアミン類とエピハロヒドリンとを反応させて得られる化合物の少なくとも一種類以上を含有する有機凝結剤を用いることによって、排水の凝集沈殿処理において、少ない使用量で排水中の着色物質や懸濁物質の量を低減させることができる。その結果、発生する汚泥の量を低減することができる。
【００２２】
＜排水の脱色方法＞
次に、本発明の実施形態に係る有機凝結剤を用いる排水の脱色方法について説明する。
【００２３】
まず排水（被処理水）に対して、上記有機凝結剤を添加、混合し、さらに必要に応じて無機凝結剤を添加、混合するとともに、ｐＨ調整剤を添加してｐＨ調整を行う。
【００２４】
有機凝結剤の添加量は、処理対象の排水の性状等に応じて決めれば良く特に制限はないが、例えば、０．１ｍｇ／Ｌ〜２０００ｍｇ／Ｌの範囲であり、無機凝結剤と併用する場合は、例えば、０．１ｍｇ／Ｌ〜３００ｍｇ／Ｌの範囲である。
【００２５】
無機凝結剤としては、一般に凝結剤として用いられる鉄系またはアルミニウム系等の無機凝結剤を使用することができる。具体的には、硫酸バンド、ポリ塩化アルミニウム（ＰＡＣ）、塩化アルミニウム、ポリ硫酸第二鉄（ポリ鉄）、塩化第二鉄等及びこれらの混合物等が挙げられる。
【００２６】
無機凝結剤の添加量は、処理対象の排水の性状等に応じて決めれば良く特に制限はないが、例えば、１０ｍｇ／Ｌ〜５０００ｍｇ／Ｌの範囲である。
【００２７】
有機凝結剤と無機凝結剤は、使用に際してそれぞれ単独で、または混合物の形態で使用してもよいが、そうした有機凝結剤や無機凝結剤、それらの混合物を、あらかじめ水等の溶媒で希釈した溶液、懸濁液等の状態で使用してもよい。有機凝結剤と無機凝結剤とを併用する場合、有機凝結剤と無機凝結剤の排水への添加順序は特に問わない。
【００２８】
排水のｐＨはｐＨ３〜１２に調整されればよい。無機凝結剤として硫酸バンド、ポリ塩化アルミニウム（ＰＡＣ）等のアルミニウム系のものを使用したときは、ｐＨ５〜９の範囲が好ましく、ｐＨ６〜８の範囲がより好ましい。無機凝結剤として塩化第二鉄等の鉄系のものを使用したときは、ｐＨ４〜１１の範囲が好ましく、ｐＨ５〜１０の範囲がより好ましい。
【００２９】
ｐＨ調整剤としては、塩酸、硫酸等の酸、または水酸化ナトリウム、水酸化カルシウム等のアルカリが用いられる。
【００３０】
排水（被処理水）に対して、上記有機凝結剤を添加、混合し、さらに必要に応じて無機凝結剤を添加、混合するとともに、ｐＨ調整剤を添加してｐＨ調整を行った後、高分子凝集剤を添加する。
【００３１】
用いられる高分子凝集剤としては、公知のアニオン系、ノニオン系、カチオン系高分子凝集剤を挙げることができる。
【００３２】
アニオン系高分子凝集剤としては、ポリアクリルアミド部分加水分解物、アニオン性モノマの共重合体、アニオン性モノマとアクリルアミド等のノニオン性モノマとの共重合体が挙げられる。
【００３３】
アニオン性モノマとしては、アクリル酸、メタクリル酸、イタコン酸、マレイン酸、フマル酸、ビニルスルホン酸、アリルスルホン酸、メタクリルスルホン酸、スチレンスルホン酸、２−アリルアミドエタンスルホン酸、２−アクリルアミド−２−メチルプロパンスルホン酸、２−メタクリルアミドエタンスルホン酸、２−メタクリルアミド−２−メチルプロパンスルホン酸、２−アクリロイルオキシエタンスルホン酸、３−アクリロイルオキシプロパンスルホン酸、４−アクリロイルオキシブタンスルホン酸、２−メタクリロイルオキシエタンスルホン酸、３−メタクリロイルオキシプロパンスルホン酸、４−メタクリロイルオキシブタンスルホン酸、及びこれらのアルカリ金属、アルカリ土類金属等の金属塩またはアンモニウム塩が挙げられる。これらアニオン性モノマは単独で用いてもよく、２種以上を組合せて用いてもよい。
【００３４】
ノニオン性モノマとしては、アクリルアミド、メタクリルアミド、メタアクリロニトリル、酢酸ビニル等が挙げられる。これらノニオン性モノマは、単独で用いてもよく、２種以上を組合せて用いてもよい。
【００３５】
共重合体として好ましいものは、アクリルアミド、アクリル酸塩共重合体、アクリルアミド・２−アクリルアミド−２−メチルプロパンスルホン酸共重合体である。
【００３６】
ノニオン系高分子凝集剤としては、上記のノニオン性モノマの重合体または共重合体であるが、好ましくはポリアクリルアミドである。
【００３７】
カチオン系高分子凝集剤としては、カチオン性モノマを必須成分として有するものであり、カチオン性モノマの共重合体またはカチオン性モノマと上記のノニオン性モノマとの共重合体である。
【００３８】
カチオン性モノマとしては、ジメチルアミノエチルアクリレート、ジメチルアミノエチルメタクリレート、ジエチルアミノエチルアクリレート、ジエチルアミノエチルメタクリレートもしくはこれらの中和塩、４級塩などが挙げられる。また、分子内にアミジン単位を含有するカチオン系高分子凝集剤も使用可能である。
【００３９】
また、高分子凝集剤としては、カチオン性モノマ単位、アニオン性モノマ単位及びノニオン性モノマ単位を共重合したいわゆる両性高分子凝集剤も挙げることができる。
【００４０】
高分子凝集剤としてはアニオン系、ノニオン系、カチオン系いずれのものでもよいが、フロックの沈降性等の点でアニオン系またはノニオン系高分子凝集剤が好ましい。
【００４１】
高分子凝集剤は、１種を単独で使用することもできるが、２種以上を併用することもできる。高分子凝集剤の添加量は、処理対象の排水の性状等に応じて決めれば良く特に制限はないが、例えば、０．５〜１０ｍｇ／Ｌの範囲である。
【００４２】
本実施形態において処理対象となる排水としては、着色成分や懸濁物質を含む排水であれば良く特に制限はない。例えば、染色・捺染工場、染料製造工場等から排出される着色排水や、飲料工場等から排出されるお茶、コーヒー等を含む着色排水及び懸濁物質を含む排水である。本実施形態に係る脱色方法は、これらの着色排水等に対する脱色処理に用いられる。本実施形態に係る脱色方法は、カチオン基を有する有機凝結剤とアニオン性官能基等を有する着色成分とが特異的に反応する原理を用いたものであるため、処理対象は着色成分に限定されるものではない。具体的には、排水に含有されるカルボン酸基またはスルホン酸基等を有するアニオン性界面活性剤、有機化合物等の物質の除去にも適用できる。
【実施例】
【００４３】
以下、実施例および比較例を挙げ、本発明をより具体的に詳細に説明するが、本発明は、以下の実施例に限定されるものではない。
【００４４】
（実施例１〜８）
被処理水としてコンゴーレッド  ５０ｍｇ／Ｌ  模擬排水（色度８０７度、濁度０．０度）を用いて、下記に示すジャーテスタ方法による凝集沈殿試験を行った。表１に示す種類の有機凝結剤、無機凝結剤を所定の有効濃度、添加濃度で被処理水に添加、混合した後、ｐＨを所定のｐＨに調整した。さらに表１に示す種類の高分子凝集剤を所定の添加濃度で添加、混合した。有機凝結剤として、アルキレンジアミン類とエピハロヒドリンとを反応させて得られた化合物（重量平均分子量Ｍｗ＝２０８，０００）を含む有機凝結剤（有機凝結剤Ａ）を使用し、無機凝結剤として、ＰＡＣ（実施例１〜３，６〜８）、塩化鉄（実施例４）、硫酸バンド（実施例５）を使用した。また高分子凝集剤は下記の（ａ）〜（ｃ）のアニオン性高分子凝集剤を使用した。なお、試験に際して有機凝結剤は２％（ｗ／ｖ）になるように、高分子凝集剤は０．１％（ｗ／ｖ）になるようにそれぞれ純水で溶解した溶液を用いた。無機凝結剤は水溶液の状態で使用した。ジャーテスタによる凝集沈殿試験結果（処理液中のフロック径、処理液（上澄み水）の色度）を表１に示す。処理ｐＨは、７±０．１に調整した。
【００４５】
＜重量平均分子量Ｍｗの測定方法＞
有機凝結剤の重量平均分子量Ｍｗは、ＨＰＬＣ分析により得られた分子量分布から重量平均を求めることで測定した。
（ＨＰＬＣ条件）
カラム：東ソー（株）製、ＴＳＫｇｅｌ  ＧＭＰＷ  ×２  （７．５ｍｍＬＤ．×３０ｃｍＬ×２）
溶離液：０．５Ｍ  ＣＨ3ＣＯＯＨ  ＋  ０．２Ｍ  ＮａＮＯ3
流速：１．０ｍＬ／ｍｉｎ
試料注入量：１００μＬ
カラム温度：４０℃
検出器：東ソー（株）製、ＨＬＣ−８１２０ＧＰＣ（ＲＩ内蔵）
検出条件：ＲＩ（ポラリティ（＋）、レスポンス（１．０ｓｅｃ））
試料調製：測定試料を溶離液で希釈
試料濃度：１．０ｇ／Ｌ（固形分０．１％）
分子量マーカ：標準ＰＥＯ、ＰＥＧ（０．５ｇ／Ｌ）
【００４６】
＜高分子凝集剤＞
（ａ）アクリル酸／アクリルアミド共重合体（アニオンコロイド当量値  −２．９ｍｅｑ／ｇ  塩粘度  １５０ｍＰａ・ｓ）
（ｂ）アクリル酸／アクリルアミド共重合体（アニオンコロイド当量値  −４．９ｍｅｑ／ｇ  塩粘度  ２５０ｍＰａ・ｓ）
（ｃ）アクリル酸／アクリルアミド共重合体（アニオンコロイド当量値  −１．０ｍｅｑ／ｇ  塩粘度  １５０ｍＰａ・ｓ）
【００４７】
＜ジャーテスタ方法＞
（１）模擬排水を５００ｍＬビーカーに分取する。
（２）有機凝結剤を所定量添加し、１５０ｒｐｍで６０秒間撹拌する。
（３）無機凝結剤を所定量添加し、１５０ｒｐｍで６０秒間撹拌する。
（４）水酸化ナトリウム（５％に調製）所定のｐＨに調整し、１５０ｒｐｍで５分間撹拌する。
（５）高分子凝集剤を所定量添加し、１５０ｒｐｍで６０秒間撹拌し、４０ｒｐｍで６０秒間緩速撹拌する。
（６）５分間静置後、上澄み液のフロック径、色度、濁度を測定する。
【００４８】
上澄み液のフロック径は、目視により測定した。色度、濁度測定には、測定原理として色度が透過光測定法、濁度が積分球式光電光度法である、日本電色工業（株）社製、「Ｗａｔｅｒ  Ａｎａｌｙｚｅｒ  ２０００Ｎ」を用いた。色度はＪＩＳ規格ＪＩＳ  Ｋ０１０１：１０．１「白金・コバルトによる色度（比色法）」またはＪＩＳ  Ｋ０１０２：１１「色度」に基づき、濁度はＪＩＳ規格ＪＩＳ  Ｋ０１０１：９．４「積分球濁度」に基づき測定した。
【００４９】
また、実施例１で使用した有機凝結剤のカチオンコロイド当量値（ｐＨ７における測定値、分母のｇは純分換算）を測定したところ、８．６ｍｅｑ／ｇであった。有機凝結剤のカチオンコロイド当量値はコロイド滴定法により下記の方法で行った。
【００５０】
＜コロイド滴定法＞
１．カチオンコロイド当量値の分析方法
（１）予め試料の蒸発残分（％）を測定する。
（２）純水で５０ｍｇ／Ｌに希釈した試料１００ｍＬをビーカーに採る。
（３）塩酸または水酸化ナトリウム水溶液でｐＨを７に調整して、約１分間撹拌する。
（４）トルイジンブルー指示薬を２〜３滴加えて撹拌する。
（５）Ｎ／４００ポリビニル硫酸カリウム試薬（Ｎ／４００  ＰＶＳＫ）で滴定する。滴定速度は２ｍＬ／分程度とする。検水が青から赤紫色に変色してから１０秒以上保持する点を終点とする。
（６）コロイド当量値（ｍｅｑ／ｇ[純分]）＝ＰＶＳＫ滴定量（ｍＬ）×ＰＶＳＫファクタ／２／蒸発残分（％）×１００
２．アニオンコロイド当量値の分析方法
（１）予め試料の蒸発残分（％）を測定する。
（２）ビーカーに「純水：９５ｍＬ」と「Ｎ／２００−メチルグリコールキトサン（ＭＧＫ）水溶液：５．０ｍＬ」を加え、続いて「０．１Ｎ  ＮａＯＨ：０．５ｍＬ」を加えて１分撹拌する。
（３）（２）に、１，０００ｍｇ／Ｌに希釈した試料５．０ｍＬを加えて５分間撹拌する。
（４）トルイジンブルー指示薬を２〜３滴加えて撹拌する。
（５）Ｎ／４００ポリビニル硫酸カリウム試薬（Ｎ／４００  ＰＶＳＫ）で滴定する。滴定速度は２ｍＬ／分程度とする。検水が青から赤紫色に変色してから１０秒以上保持する点を終点とする。
（６）ブランク試験（純水：１００ｍＬ）を上記操作と同様に行う。
（７）コロイド当量値（ｍｅｑ／ｇ[純分]）＝（ブランク滴定量（ｍＬ）−試料滴定量（ｍＬ））×ＰＶＳＫファクタ／２／蒸発残分（％）×１００
【００５１】
（実施例９，１０）
有機凝結剤として、アルキレンジアミン類とエピハロヒドリンとを反応させて得られた化合物（重量平均分子量Ｍｗ＝６，７００）を含む有機凝結剤（有機凝結剤Ａ’）を使用した以外は、実施例１，２と同様にしてそれぞれ凝集沈殿処理を行った。結果を表１に示す。また、実施例９，１０で使用した有機凝結剤Ａ’のカチオンコロイド当量値を測定したところ、８．１ｍｅｑ／ｇであった。
【００５２】
（比較例１〜３）
有機凝結剤を使用せずに、表１の通りに無機凝結剤を使用した以外は実施例１と同様にしてそれぞれ凝集沈殿処理を行った。結果を表１に示す。
【００５３】
（比較例４〜８）
有機凝結剤として、ジメチルアミン・エピクロロヒドリン縮合物（重量平均分子量Ｍｗ＝４０，０００）を含む有機凝結剤（有機凝結剤Ｂ）を使用した以外は、実施例１〜５と同様にしてそれぞれ凝集沈殿処理を行った。結果を表１に示す。また、比較例４〜８で使用した有機凝結剤Ｂのカチオンコロイド当量値を測定したところ、６．７ｍｅｑ／ｇであった。
【００５４】
（比較例９〜１３）
有機凝結剤として、ポリジメチルジアリルアンモニウム塩（重量平均分子量Ｍｗ＝３００，０００）を含む有機凝結剤（有機凝結剤Ｃ）を使用した以外は、実施例１〜５と同様にしてそれぞれ凝集沈殿処理を行った。結果を表１に示す。また、比較例９〜１３で使用した有機凝結剤Ｃのカチオンコロイド当量値を測定したところ、６．０ｍｅｑ／ｇであった。
【００５５】
実施例１，９と比較例４，９とを比較することにより、実施例１及び実施例９の有機凝結剤Ａ，Ａ’が最も色度低減効果があることがわかる。また、実施例１，９、比較例５，６、比較例１０，１１を比較することにより、例えば処理水の目標色度を５度以下を目標とする場合、比較例の有機凝結剤Ｂ，Ｃでは有機凝結剤の量が１．０（ｍｇ／Ｌ）では併用の無機凝結剤の量が２５０（ｍｇ／Ｌ）では達成できず、５００（ｍｇ／Ｌ）を必要としたが、実施例１及び実施例９の有機凝結剤Ａ，Ａ’を用いれば同様の有機凝結剤の量１．０（ｍｇ／Ｌ）で併用の無機凝結剤の量が２５０（ｍｇ／Ｌ）で色度５度以下を達成できることがわかる。また、使用する有機凝結剤のカチオンコロイド当量値が高い方が、色度低減効果が高い傾向にあることがわかる。
【００５６】
【表１】
2009125649.tif 000004
【００５７】
（実施例１１〜１３、比較例１４〜２０）
被処理水として、市販緑茶の純水４倍希釈水（ｐＨ７のとき、色度２２５度、濁度１．７度、ｐＨ６のとき、色度１８４度、濁度１．７度）を用いて、表２の通りに有機凝結剤、無機凝結剤、高分子凝集剤を使用して、上記のジャーテスタ方法による凝集沈殿試験を行った。結果を表２に示す。処理ｐＨは実施例１１、１２、比較例１４〜１７は７±０．１、実施例１３、比較例１８〜２０は６±０．１に調整した。
【００５８】
【表２】
2009125649.tif 000005
【００５９】
このように、実施例１１〜１３の有機凝結剤Ａ，Ａ’が最も色度低減効果、濁度低減効果があることがわかる。また、処理ｐＨは７よりも６の方が色度低減効果、濁度低減効果があることがわかる。
【００６０】
（実施例１４、比較例２１〜２３）
被処理水として、着色排水（着色排水の分析値は表３）を用いて、表４の通りに有機凝結剤、無機凝結剤、高分子凝集剤を使用して、上記のジャーテスタ方法による凝集沈殿試験を行った結果を表４に示す。処理ｐＨは全て７±０．１に調整した。
【００６１】
【表３】
2009125649.tif 000006
【００６２】
【表４】
2009125649.tif 000007
【００６３】
このように、実施例１４の有機凝結剤Ａが最も色度低減効果、濁度低減効果があることがわかる。